(57)【要約】【課題】  ＥＭＩノイズ対策を施す装置のノイズ低減調整の自動化を図る。【解決手段】  ＥＭＩノイズ対策を施す装置１の複数の対策項目（クロック周波数，電源電圧，出力インピーダンス，エンファシス，スルーレート）毎に夫々複数の調整値を用意しておき、複数の対策項目と夫々の調整値との組み合わせの１つで装置１を動作させたときのＥＭＩノイズを測定装置７で測定すると共に該測定値とノイズ基準値６とを処理部５で比較し、該比較の結果、測定値がノイズ基準値に適合しないときは前記組み合わせを自動的に変更して再び前記測定と前記比較を行い、測定値がノイズ基準値に適合したときこのときの組み合わせを保持して装置１内に設定する。【選択図】  図１
2006286687.tif 000002
【特許請求の範囲】
【請求項１】
ＥＭＩノイズ対策を施す装置の複数の対策項目毎に夫々複数の調整値を用意しておき、前記複数の対策項目と夫々の前記調整値との組み合わせの１つで前記装置を動作させたときのＥＭＩノイズを測定すると共に該測定値とノイズ基準値とを比較し、該比較の結果、前記測定値が前記ノイズ基準値に適合しないときは前記組み合わせを自動的に変更して再び前記測定と前記比較を行い、前記測定値が前記ノイズ基準値に適合したときこのときの前記組み合わせを保持して前記装置内に設定することを特徴とするＥＭＩノイズ低減調整方法。
【請求項２】
少なくとも、クロック周波数、電源電圧、出力インピーダンス、エンファシス設定値、スルーレート設定値を前記対策項目とすることを特徴とする請求項１に記載のＥＭＩノイズ低減調整方法。
【請求項３】
前記装置が正常動作しているか誤動作しているかを検出し、誤動作していることが検出されたときは前記測定値が前記ノイズ基準値に適合していても不可として次の前記組み合わせにより前記装置の動作させて前記測定と前記比較を行うことを特徴とする請求項１または請求項２に記載のＥＭＩノイズ低減調整方法。
【請求項４】
ＥＭＩノイズ対策を施す装置の複数の対策項目毎に夫々複数の調整値を用意し前記複数の対策項目と夫々の前記調整値との組み合わせの１つを指定する手段と、該手段で指定された前記組み合わせで前記装置を動作させたときのＥＭＩノイズを測定すると共に該測定値とノイズ基準値とを比較する手段と、該比較の結果により前記測定値が前記ノイズ基準値に適合しないときは前記組み合わせを自動的に変更して再び前記測定と前記比較を行う手段と、前記測定値が前記ノイズ基準値に適合したときこのときの前記組み合わせを保持して前記装置内に設定する手段とを備えることを特徴とするＥＭＩノイズ低減調整装置。
【請求項５】
少なくとも、クロック周波数、電源電圧、出力インピーダンス、エンファシス設定値、スルーレート設定値を前記対策項目とすることを特徴とする請求項４に記載のＥＭＩノイズ低減調整装置。
【請求項６】
前記装置が正常動作しているか誤動作しているかを検出する手段と、誤動作していることが検出されたときは前記測定値が前記ノイズ基準値に適合していても不可として次の前記組み合わせにより前記装置の動作させて前記測定と前記比較を行う手段とを備えることを特徴とする請求項４または請求項５に記載のＥＭＩノイズ低減調整装置。
【請求項７】
ＥＭＩノイズ対策を施す装置であって請求項４乃至請求項５のいずれかに記載のＥＭＩノイズ低減調整装置を搭載したことを特徴とするＥＭＩノイズ低減機能付き装置。
【発明の詳細な説明】
【技術分野】
【０００１】
本発明は、ＬＳＩ等のＥＭＩ（Electromagnetic Interference）対策を要する装置のＥＭＩノイズ低減調整方法等に係り、特に、ＥＭＩノイズをノイズ基準に自動的に適合させるように調整するＥＭＩノイズ低減調整方法及びその装置並びにこのＥＭＩノイズ低減調整装置を備えるＥＭＩノイズ低減機能付き装置に関する。
【背景技術】
【０００２】
ＬＳＩ等の半導体装置や携帯電話機等の電子機器は、動作周波数が高周波になる程、ＥＭＩノイズが周囲に放射されるため、ＥＭＩノイズが基準値以下となるように対策を施す必要がある。このため、下記特許文献１では、ＥＭＩノイズ対策が必要な装置のＥＭＩノイズをシミュレーションにより解析し、装置の設計段階で最適な設計ができるようにしている。
【０００３】
【特許文献１】特開２００２―１６４４３４号公報
【発明の開示】
【発明が解決しようとする課題】
【０００４】
しかしながら、実際に装置を組み立てる場合、ＥＭＩノイズを実際に測定し、基準に適合しない場合には装置を構成するボードを別のボードに交換したり、ボードの構成部品を交換したりして、ＥＭＩノイズが基準に適合するに改造する必要が生じる。斯かる改造は、従来は人手によって行われ、作業が面倒であると共に長時間の試行錯誤が必要となり、ＥＭＩノイズ対策装置の製造コストを増大させる要因になっている。
【０００５】
本発明の目的は、ＥＭＩノイズの低減調整を自動で行うことが可能なＥＭＩノイズ低減調整方法及びその装置並びにこのＥＭＩノイズ低減調整装置を搭載したＥＭＩノイズ低減機能付き装置を提供することにある。
【課題を解決するための手段】
【０００６】
本発明のＥＭＩノイズ低減調整方法及びその装置並びにこのＥＭＩノイズ低減調整装置を搭載したＥＭＩノイズ低減機能付き装置は、ＥＭＩノイズ対策を施す装置の複数の対策項目毎に夫々複数の調整値を用意しておき、前記複数の対策項目と夫々の前記調整値との組み合わせの１つで前記装置を動作させたときのＥＭＩノイズを測定すると共に該測定値とノイズ基準値とを比較し、該比較の結果、前記測定値が前記ノイズ基準値に適合しないときは前記組み合わせを自動的に変更して再び前記測定と前記比較を行い、前記測定値が前記ノイズ基準値に適合したときこのときの前記組み合わせを保持して前記装置内に設定することを特徴とする。
【０００７】
この構成により、ＥＭＩノイズ対策を施す装置が実際に放射するＥＭＩノイズを低減してノイズ基準値に適合するように行う調整を自動的に行うことが可能となり、調整作業の自動化と省力化を図ることができる。
【０００８】
本発明のＥＭＩノイズ低減調整方法及びその装置並びにこのＥＭＩノイズ低減調整装置を搭載したＥＭＩノイズ低減機能付き装置は、少なくとも、クロック周波数、電源電圧、出力インピーダンス、エンファシス設定値、スルーレート設定値を前記対策項目とすることを特徴とする。
【０００９】
この構成により、効果的なＥＭＩノイズ対策を施すことが可能となる。
【００１０】
本発明のＥＭＩノイズ低減調整方法及びその装置並びにこのＥＭＩノイズ低減調整装置を搭載したＥＭＩノイズ低減機能付き装置は、前記装置が正常動作しているか誤動作しているかを検出し、誤動作していることが検出されたときは前記測定値が前記ノイズ基準値に適合していても不可として次の前記組み合わせにより前記装置の動作させて前記測定と前記比較を行うことを特徴とする。
【００１１】
この構成により、装置が誤動作する状態でのＥＭＩノイズ対策の設定が回避される。
【発明の効果】
【００１２】
本発明によれば、ＥＭＩノイズの低減調整を自動で行うことが可能となり、調整作業の省力化と低コスト化を図ることが可能となる。
【発明を実施するための最良の形態】
【００１３】
以下、本発明の一実施形態について、図面を参照して説明する。
【００１４】
図１は、本発明の一実施形態に係るＥＭＩノイズ低減機能付き装置の構成図である。この図１には、ＥＭＩノイズ低減機能を実現する部分（ＥＭＩノイズ低減調整装置）のみの構成を図示し、ＥＭＩノイズ低減対策を施す装置本体部分の構成は図示を省略している。
【００１５】
図１に示すＥＭＩノイズ低減機能付き装置１は、測定パターン生成部２と、パラメータ設定部３と、正常動作・誤動作検出部４と、ＥＭＩノイズ測定結果データ処理部５と、ＥＭＩノイズ基準データ入力部６とを備える。
【００１６】
ＥＭＩノイズ測定結果データ処理部５の入力部には、外部に配置されたＥＭＩノイズ測定装置７の測定データ出力部と、正常動作・誤動作検出部４の検出結果出力部と、ＥＭＩノイズ基準データ入力部６とが接続され、ＥＭＩノイズ測定結果データ処理部５の出力部は、測定パターン生成部２の入力部に接続され、測定パターン生成部２の出力部が、パラメータ設定部３の各入力部に接続される。ＥＭＩノイズ基準データ入力部６は、例えば入力端子で構成され、入力端子で設定されたデータがＥＭＩノイズ基準データとなる。
【００１７】
パラメータ設定部３は、クロック周波数設定回路３−１と、電源電圧設定回路３−２と、出力インピーダンス設定回路３−３と、エンファシス設定回路３−４と、スルーレート設定回路３−５と、スキュー調整回路３−６とを備え、また、ＥＭＩノイズ測定装置７は、ＥＭＩノイズ受信機７−１と、受信アンテナ７−２とを備える。
【００１８】
斯かる構成のＥＭＩノイズ低減機能付き装置１は、ＥＭＩノイズ低減対象となる図示しない装置本体から放射されるＥＭＩノイズをＥＭＩノイズ測定装置７で測定する。そして、その測定結果に基づいて、測定パターン生成部２からパラメータ設定部３に出力される各種調整値（後述の２ビット信号×９の計１８ビット信号）をＥＭＩノイズ測定結果データ処理部５が制御し、図示しない装置本体の「クロック周波数」「電源電圧」「出力インピーダンス」「エンファシス」「スルーレート」等を調整し、装置本体を含む装置１から放射されるＥＭＩノイズがＥＭＩノイズ基準に適合する様に各種調整値を決める。このとき、ＥＭＩノイズ測定結果データ処理部５は、装置１が正常動作しているか否か検出する正常動作・誤動作検出部４の検出結果を勘案して各種調整値の制御を行う。
【００１９】
図２は、図１に示すスキュー調整回路３−６の構成図である。図示しない装置本体内には、本実施形態では、４つのフリップフロップ（Ｆ／Ｆ）が設けられており、スキュー調整回路３−６には、各Ｆ／Ｆ毎の遅延設定回路、即ち、Ｆ／Ｆ（Ａ）用遅延設定回路３−６−１と、Ｆ／Ｆ（Ｂ）用遅延設定回路３−６−２と、Ｆ／Ｆ（Ｃ）用遅延設定回路３−６−３と、Ｆ／Ｆ（Ｄ）用遅延設定回路３−６−４とが設けられている。
【００２０】
図３は、ＥＭＩノイズ測定結果データ処理部５の構成図である。ＥＭＩノイズ測定結果データ処理部５は、基準・測定結果比較部５−１と、カウントアップ指示部５−２とを備える。
【００２１】
基準・測定結果比較部５−１は、ＥＭＩノイズの測定結果とＥＭＩノイズ基準とを比較することにより、装置本体を含む装置１から放射されるＥＭＩノイズの適合，不適合の判定を行い、適合，不適合の判定結果をカウントアップ指示部５−２へ送出する。
【００２２】
カウントアップ指示部５−２は、正常動作・誤動作検出部４より誤動作検出結果を受け取った場合には、または基準・測定結果比較部５−１より不適合判定結果を受け取った場合には、測定パターン生成部２の後述の１８ビットカウンタに対してカウントアップを指示する。また、カウントアップ指示部５−２は、正常動作の検出結果を受け取り且つ適合判定結果を受け取った場合には、測定パターン生成部２ヘカウントアップ中止を指示する。このカウントアップ中止の指示があった場合、測定パターン生成部２は、各パラメータの設定値（上記の調整値）を保持する。
【００２３】
図４は、クロック周波数設定回路３−１の構成図である。本実施形態のクロック周波数設定回路３−１は、ジェネレータＩＣにクロック周波数を設定する構成になっている。測定パターン生成部２より、ジェネレータＩＣに２ビットの信号（後述のビット16，ビット17の信号）が送出されると、ジェネレータＩＣにクロック周波数が設定される。
【００２４】
図５は、電源電圧設定回路３−２の構成図である。電源電圧設定回路３−２は出力電源回路で構成され、この出力電源回路から、装置本体を構成する例えばＬＳＩに電源電圧を供給する。電源電圧設定回路３−２は、測定パターン生成部２から出力電源回路に２ビットの信号（後述のビット14，ビット15の信号）を送出することにより、この２ビット信号で指定される電源電圧がＬＳＩに供給される。
【００２５】
図６は、図１に示す出力インピーダンス設定回路３−３と、エンファシス設定回路３−４と、スルーレート設定回路３−５の接続構成を例示し、これらは、装置本体内たとえばＬＳＩ内部に搭載される。図６に示す最終段のスルーレート設定回路３−５の出力がＦ／Ｆ（Ａ）の入力に接続され、Ｆ／Ｆ（Ａ）から、遅延調整された出力信号がＬＳＩ外部に出力される。
【００２６】
出力インピーダンス設定回路３−３は、出力信号の出力インピーダンスを設定する回路であり、測定パターン生成部２から出力インピーダンス設定回路３−３に２ビットの信号（後述のビット12，ビット13の信号）を送出することにより、ＬＳＩ内部に２ビット信号で指定された出力インピーダンスが設定される。
【００２７】
エンファシス設定回路３−４は、出力信号のエンファシス値を設定する回路であり、測定パターン生成部２からエンファシス設定回路３−４に２ビットの信号（後述のビット10，ビット11の信号）を送出することにより、ＬＳＩ内部に２ビット信号で指定されたエンファシス値が設定される。
【００２８】
スルーレート設定回路３−５は、出力信号のスルーレート値を設定する回路であり、測定パターン生成部２からスルーレート設定回路３−５に２ビットの信号（後述のビット８，ビット９の信号）を送出することにより、ＬＳＩ内部に２ビット信号で指定されるスルーレート値が設定される。
【００２９】
図７は、Ｆ／Ｆ（Ａ）用遅延設定回路３−６−１の構成図である。このＦ／Ｆ（Ａ）用遅延設定回路３−６−１は、０ｐｓ用遅延設定回路１０と、１００ｐｓ用遅延設定回路１１と、２００ｐｓ用遅延設定回路１２と、３００ｐｓ用遅延設定回路１３と、セレクタ回路１４とを備える。
【００３０】
各遅延設定回路１０，１１，１２，１３にはクロック信号が入力され、夫々の遅延設定回路１０，１１，１２，１３からは夫々の遅延時間だけ遅延されたクロック信号がセレクタ回路１４に出力される。セレクタ回路１４は、測定パターン生成部２から２ビットの信号（後述のビット６，ビット７の信号）が送出されたとき、この２ビット信号で指定される遅延設定回路を選択し、選択した遅延設定回路から出力されるクロック信号をＦ／Ｆ（Ａ）に与える。
【００３１】
図２に示す他のＦ／Ｆ（Ｂ）、Ｆ／Ｆ（Ｃ）、Ｆ／Ｆ（Ｄ）用の遅延設定回路３―６―２，−３，−４の構成は、図７に示すＦ／Ｆ（Ａ）用遅延設定回路３−６−１と同じであり、各遅延設定回路にも後述の２ビット信号が測定パターン生成部２から送出される。
【００３２】
測定パターン生成部２は、「クロック周波数」「電源電圧」「出力インピーダンス」「エンファシス設定値」「スルーレート値」「遅延値」の各パラメータを、１８ビットカウンタによって、パラメータ設定部３の各設定回路３−１〜３−６に送出する。
【００３３】
図８は、測定パターン生成部２の１８ビットカウンタによって生成される測定パターンの一例を示す図である。１８ビット測定パターンの内訳は、
「ビット０，ビット１」がＦ／Ｆ（Ｄ）用遅延値、
「ビット２，ビット３」がＦ／Ｆ（Ｃ）用遅延値、
「ビット４，ビット５」がＦ／Ｆ（Ｂ）用遅延値、
「ビット６，ビット７」がＦ／Ｆ（Ａ）用遅延値、
「ビット８，ビット９」がスルーレート設定値、
「ビット10，ビット11」がエンファシス設定値、
「ビット12，ビット13」が出力インピーダンス、
「ビット14，ビット15」が電源電圧、
「ビット16，ビット17」がクロック周波数
を示している。
【００３４】
測定パターンの各パラメータをカウンタでカウントアップする場合、ＥＭＩノイズが大きく且つ性能の高いデータから順番に、「００」，「０１」，「１０」，「１１」に置き換える様になっている。パラメータ毎にデータを送出する回路が装置に作り込んであり、各パラメータを１８ビットカウンタでカウントアップすることにより、パラメータ毎に回路が選択される。
【００３５】
次に、上述した構成のＥＭＩノイズ低減機能付き装置の動作を説明する。図１に示す測定パターン生成部２をリセットすることにより、ＥＭＩノイズ測定を開始し、測定パターン生成部２の１８ビットカウンタよりＥＭＩノイズ測定パターンがパラメータ設定部３に送出される。
【００３６】
ＥＭＩノイズ測定パターンの１８ビットのうち、
「ビット０，ビット１」がスキュー調整回路３−６のＦ／Ｆ（Ｄ）用遅延設定回路３−６−４へ、
「ビット２，ビット３」がスキュー調整回路３−６のＦ／Ｆ（Ｃ）用遅延設定回路３−６−３へ、
「ビット４，ビット５」がスキュー調整回路３−６のＦ／Ｆ（Ｂ）用遅延設定回路３−６−２へ、
「ビット６，ビット７」がスキュー調整回路３−６のＦ／Ｆ（Ａ）用遅延設定回路３−６−１へ、
「ビット８，ビット９」がスルーレート設定回路３−５へ、
「ビット10，ビット11」がエンファシス設定回路３−４へ、
「ビット12，ビット13」が出力インピーダンス設定回路３−３へ、
「ビット14，ビット15」が電源電圧設定回路３−２へ、
「ビット16，ビット17」がクロック周波数設定回路３−１へ
夫々送出される。
【００３７】
図４のクロック周波数設定回路３−１は、測定パターン生成部２より受け取った「ビット６，ビット７」が「０，０」の場合は５００ＭＨｚ、「０，１」の場合は４９９ＭＨｚ、「１，０」の場合は４９８ＭＨｚ、「１，１」の場合は４９７ＭＨｚのクロック周波数をジェネレータＩＣに設定する。
【００３８】
図５の電源電圧設定回路３−２は、測定パターン生成部２より受け取った「ビット14，ビット15」が「０，０」の場合は１．８０Ｖ、「０，１」の場合は１．７５Ｖ、「１，０」の場合は１．７０Ｖ、「１，１」の場合は１．６５Ｖの電源電圧をＬＳＩに供給する。
【００３９】
図６の出力インピーダンス設定回路３−３は、測定パターン生成部２から受け取った「ビット12，ビット13」が「０，０」の場合は４７Ω、「０，１」の場合は５１Ω、「１，０」の場合は５６Ω、「１，１」の場合は６２Ωを、出力インピーダンスとして設定する。
【００４０】
図６のエンファシス設定回路３−４は、測定パターン生成部２から受け取った「ビット10，ビット11」が「０，０」の場合は１３９０ｍＶ、「０，１」の場合は１３００ｍＶ、「１，０」の場合は１２４０ｍＶ、「１，１」の場合は１１８０ｍＶを、エンファシスとして設定する。
【００４１】
図６のスルーレート設定回路３−５は、測定パターン生成部２から受け取った「ビット８，ビット９」が「０，０」の場合は１．６０ｍＶ／ｐｓ、「０，１」の場合は１．３３ｍＶ／ｐｓ、「１，０」の場合は１．１４ｍＶ／ｐｓ、「１，１」の場合は１．００ｍＶ／ｐｓを、スルーレートとして設定する。
【００４２】
図７のＦ／Ｆ（Ａ）用遅延設定回路３−６−１は、測定パターン生成部２から受け取った「ビット６，ビット７」が「０，０」の場合は０ｐｓ、「０，１」の場合は１００ｐｓ、「１，０」の場合は２００ｐｓ、「１，１」の場合は３００ｐｓの遅延を行う遅延設定回路をセレクタ回路１４で選択する。これにより、Ｆ／Ｆ（Ａ）にスキュー調整したクロックが供給される。
【００４３】
同様に、Ｆ／Ｆ（Ｂ）用遅延設定回路３−６−２は、測定パターン生成部２から受け取った「ビット４，ビット５」が「０，０」の場合は０ｐｓ、「０，１」の場合は１００ｐｓ、「１，０」の場合は２００ｐｓ、「１，１」の場合は３００ｐｓの遅延クロックをＦ／Ｆ（Ｂ）に供給する。以下、Ｆ／Ｆ（Ｃ），Ｆ／Ｆ（Ｄ）にも同様に、測定パターン生成部２から受け取った２ビット信号に基づいた遅延量のクロック信号が供給される。
【００４４】
図１のＥＭＩノイズ基準データ入力部６よりＥＭＩノイズ基準値を入力すると、この基準値データは基準・測定結果比較部５−１へ送出される。パラメータ設定部３の各パラメータ設定回路３−１〜３−６の各々に上述の２ビット信号が設定された後、装置１が正常に動作している場合には、正常動作・誤動作検出部４からカウントアップ指示部５−２へ正常動作検出結果「０」が送出され、装置１が誤動作を検出した場合にはカウントアップ指示部５−２へ誤動作検出結果「１」が送出される。
【００４５】
ＥＭＩノイズ測定装置７が装置本体を含む装置１から放射されるＥＭＩノイズを測定すると、このＥＭＩノイズ測定値が、基準・測定結果比較部５−１に入力される。基準・測定結果比較部５−１は、ＥＭＩノイズ測定値とＥＭＩノイズ基準値とを比較し、判定結果が適合の場合は「０」を、不適合の場合は「１」をカウントアップ指示部５−２へ送出する。
【００４６】
カウントアップ指示部５−２は、正常動作・誤動作検出部４から誤動作検出結果「１」を受け取り、または基準・測定結果比較部５−１から不適合判定結果「１」を受け取った場合には、測定パターン生成部２ヘカウントアップ指示「１」を送出する。
【００４７】
カウントアップ指示部５−２が、正常動作検出結果「０」および適合判定結果「０」の両方を受け取った場合には、測定パターン生成部２ヘカウントアップ中止指示「０」を送出する。この場合、各パラメータ設定回路３−１〜３−６の各設定内容を保持することで、ＥＭＩノイズ基準に適合し且つ性能の高いパラメータの組み合わせが装置本体を含む装置１に組み込まれる。
【００４８】
尚、上述した実施形態では、「クロック周波数」「電源電圧」「出力インピーダンス」「エンファシス設定値」「スルーレート値」「Ｆ／Ｆ（Ａ）用遅延値」「Ｆ／Ｆ（Ｂ）用遅延値」「Ｆ／Ｆ（Ｃ）用遅延値」「Ｆ／Ｆ（Ｄ）用遅延値」のパラメータ毎に４つのデータを用意し、測定パターン生成部２の１８ビットカウンタによって、１８ｂｉｔの測定パターンを送出する構成としているが、カウンタのビット数を変更することで、パラメータの数量やデータの数量の増減に容易に対処可能であることはいうまでもない。
【００４９】
以上述べた実施形態によれば、クロック周波数、電源電圧、出力インピーダンス、エンファシス設定値、スルーレート設定値、遅延値の各パラメータの組み合わせの中から、自動的に、ＥＭＩノイズ基準に適合し、尚かつ性能の高い組み合わせを決定することが可能となる。
【産業上の利用可能性】
【００５０】
本発明によれば、ＥＭＩノイズを自動的にＥＭＩノイズ基準に適合するように自動的に調整できるため、ＥＭＩノイズ対策が必要な装置に適用すると有用である。
【図面の簡単な説明】
【００５１】
【図１】本発明の一実施形態に係るＥＭＩノイズ低減機能付き装置の構成図である。
【図２】図１に示すスキュー調整回路の構成図である。
【図３】図１に示すＥＭＩノイズ測定結果データ処理部の構成図である。
【図４】図１に示すクロック周波数設定回路の構成図である。
【図５】図１に示す電源電圧設定回路の構成図である。
【図６】図１に示す出力インピーダンス設定回路とエンファシス設定回路とスルーレート設定回路の接続図である。
【図７】図２に示すＦ／Ｆ（Ａ）用遅延設定回路の構成図である。
【図８】図１に示す測定パターン生成部で発生される測定パターンを例示する図である。
【符号の説明】
【００５２】
１  ＥＭＩノイズ低減機能付き装置
２  測定パターン生成部
３  パラメータ設定部
３−１  クロック周波数設定回路
３−２  電源電圧設定回路
３−３  出力インピーダンス設定回路
３−４  エンファシス設定回路
３−５  スルーレート設定回路
３−６  スキュー調整回路
３−６−１  Ｆ／Ｆ（Ａ）用遅延設定回路
３−６−２  Ｆ／Ｆ（Ｂ）用遅延設定回路
３−６−３  Ｆ／Ｆ（Ｃ）用遅延設定回路
３−６−４  Ｆ／Ｆ（Ｄ）用遅延設定回路
４  正常動作・誤動作検出部
５  ＥＭＩノイズ測定結果データ処理部
５−１  基準・測定結果比較部
５−２  カウントアップ指示部
６  ＥＭＩノイズ基準データ入力部
７  ＥＭＩノイズ測定装置
【図１】
2006286687.tif 000003
【図２】
2006286687.tif 000004
【図３】
2006286687.tif 000005
【図４】
2006286687.tif 000006
【図５】
2006286687.tif 000007
【図６】
2006286687.tif 000008
【図７】
2006286687.tif 000009
【図８】
2006286687.tif 000010